(57)【要約】【課題】断面形状が略Ｌ字状となるコンクリート基礎を形成するにあたって、第１型枠に対して第２型枠を確実に支持することができて、露出金属部分を覆うためのモルタル添着が行える凹部を容易に形成することのできる段付き中間巾止め金具を、簡単な構成によって提供すること。【解決手段】第１型枠間に挟着される挟着部１２と、この挟着部１２の内方側に設けられて基礎の表面から内方に位置することになる金具本体１１と、これら金具本体１１と挟着部１２との間に設けられて、基礎の第１型枠３１側の表面に凹部を形成することになる凹部形成部材２０と、金具本体１１の内方側に設けられて、第２型枠の下端を支持する支持部１３とを備えたこと。【選択図】図１
2005113484.tif 000002
【特許請求の範囲】
【請求項１】
断面が略Ｌ字状となる基礎をコンクリート打設により形成するために、第１型枠に対して第２型枠の下端を持ち上げた状態で支持すべく使用される段付き中間巾止め金具であって、
前記第１型枠間に挟着される挟着部と、この挟着部の内方側に設けられて前記基礎の表面から内方に位置することになる金具本体と、これら金具本体と前記挟着部との間に設けられて、前記基礎の第１型枠側の表面に凹部を形成することになる凹部形成部材と、前記金具本体の内方側に設けられて、前記第２型枠の下端を支持する支持部とを備えたことを特徴とする段付き中間巾止め金具。
【請求項２】
前記挟着部は、少なくとも前記金具本体に対して着脱自在としたことを特徴とする請求項１に記載の段付き中間巾止め金具。
【請求項３】
前記凹部形成部材を、前記中空部を有する中空体とするとともに、これにスリットあるいはミシン目等の除去線を形成したことを特徴とする請求項１または請求項２に記載の段付き中間巾止め金具。
【請求項４】
前記凹部形成部材を略中実体とするとともに、前記本体金具の外側端部に着脱自在としたことを特徴とする請求項１または請求項２に記載の段付き中間巾止め金具。
【請求項５】
前記凹部形成部材の外形を、コンクリート基礎の外面に向かって広がるものとしたことを特徴とする請求項１〜請求項４のいずれかに記載の段付き中間巾止め金具。
【発明の詳細な説明】
【技術分野】
【０００１】
本発明は、型枠を支持するための金具に関し、特に、断面が略Ｌ字状となる基礎をコンクリート打設により形成するために、第１型枠に対して第２型枠の下端を持ち上げた状態で支持すべく使用される段付き中間巾止め金具に関するものである。
【背景技術】
【０００２】
断面が略Ｌ字状となる基礎をコンクリート打設により形成するためには、例えば図２に示すように、第１型枠に対して第２型枠の下端を持ち上げた状態で支持しなければならないが、このときに使用されるのが段付き中間巾止め金具である。
【０００３】
このような中間巾止め金具としては、例えば特許文献１に記載されているような「型枠巾止金具」が知られているのであるが、この「型枠巾止金具」は、
「第１の型枠の下端に対して所定高さ上方に離れて配設された第２の型枠を型枠巾止金具によって確実に連結支持し、順次積層される防湿基礎コンクリートと布基礎コンクリートとを１回の打設作業で安価に形成できる型枠巾止構造及びこれに用いる型枠巾止金具を提供することを目的」
としてなされたものである。
【０００４】
そして、この特許文献１に記載された型枠巾止金具は、図８にも示すように、例えば、
「捨てコンクリート上に立設された第１の型枠に対して、所定間隔を隔てて対向すると共にその下端が該第１の型枠の下端に対して所定高さ上方に離れて配設された第２の型枠が型枠巾止金具によって連結支持されてなる型枠巾止構造であって、前記第１の型枠の平板部の、前記第２の型枠の下端に対応する高さ位置に取付孔を設けることとし、前記型枠巾止金具が、略真直形状であって少なくとも一端側が棒状部になっている基部と、該基部の一端側に設けられて前記第１の型枠の取付孔に前記棒状部を前記平板部に対して垂直に固定可能な固定手段と、前記基部の他端側に設けられて前記第２の型枠を支持することが可能な支持部とにより構成されていること」
を特徴とするものである。
【特許文献１】実用新案登録第３０７００２９号掲載公報、要約、代表図
【発明の開示】
【発明が解決しようとする課題】
【０００５】
この特許文献１に記載された型枠巾止金具は、当該特許文献１の段落００１９に記載されているように、
「型枠巾止金具１０の基部１１高さ程度までコンクリートが打設されることにより防湿基礎コンクリートが形成され、さらに両基礎型枠４１，４２間にコンクリートが打設されることにより、布基礎コンクリートが形成される。そして、コンクリートの養生期間が経過した後、両基礎型枠４１，４２を取り外し、ねじ部１２と基部１１の他端側を切断溝１６，１７位置で折り曲げることにより、コンクリートから突出したねじ部１２と、外側止部１４及び係止部１５を含む基部１１の一部を切断除去する。その後、コンクリート周囲を埋め立てることによりコンクリート基礎４４の打設作業が終了する」
ものであるが、「基部１１の一部を切断除去する」と、コンクリート基礎４４内に残ったままの基部１１の一部がコンクリート基礎４４から露出することになる。
【０００６】
この「基部１１」は通常「鉄」を材料として形成されているため、その一部がコンクリート基礎４４から露出していると、この基部１１が錆びを発生し、この錆びがコンクリート基礎４４の表面を赤茶けた状態に汚すことになる。この錆びによる「汚れ」は、非常に目立つものであって、遠くからでも「基部１１」の存在箇所を知らせるものであり、近づいて見ると「基部１１」が露出しているため、人によってはこれを問題にすることがある。
【０００７】
このため、本発明者は、この種の段付き中間巾止め金具について、上述したような錆びの発生を抑制して、コンクリート基礎の表面を汚すことがないようにするにはどうしたらよいか、について研究を重ねてきた結果、完成されたコンクリート基礎から露出している金属部分を「モルタル」によって覆うことが最も簡便であることに気付いたのである。
【０００８】
ところで、この種の段付き中間巾止め金具を使用して形成されるコンクリート基礎は断面Ｌ字状となっていて、金属部分が露出するのは、図８等に示すように垂直面であり、この垂直面に露出している部分をモルタルによって完全に覆うためには、十分な大きさの凹部が必要である。つまり、図８に示した従来の金具を使用した場合には、モルタルを添着させるのには不十分な穴しか形成することができないため、モルタルで露出金属部分を覆うことは殆どできないと考えられるのである。
【０００９】
そこで、本発明者は、この種の段付き中間巾止め金具によって、後のモルタル添着のための凹部を簡単に形成するにはどうしたらよいか、について種々検討を重ねてきた結果、本発明を完成したのである。
【００１０】
すなわち、本発明の目的とするところは、断面形状が略Ｌ字状となるコンクリート基礎を形成するにあたって、第１型枠に対して第２型枠を確実に支持することができて、露出金属部分を覆うためのモルタル添着が行える凹部を容易に形成することのできる段付き中間巾止め金具を、簡単な構成によって提供することにある。
【課題を解決するための手段】
【００１１】
以上の課題を解決するために、まず、請求項１に係る発明の採った手段は、後述する最良の実施形態の説明中において使用する符号を付して説明すると、
「断面が略Ｌ字状となる基礎４０をコンクリート打設により形成するために、第１型枠３１に対して第２型枠３２の下端を持ち上げた状態で支持すべく使用される段付き中間巾止め金具１０であって、
第１型枠３１間に挟着される挟着部１２と、この挟着部１２の内方側に設けられて基礎４０の表面から内方に位置することになる金具本体１１と、これら金具本体１１と挟着部１２との間に設けられて、基礎４０の第１型枠３１側の表面に凹部４１を形成することになる凹部形成部材２０と、金具本体１１の内方側に設けられて、第２型枠３２の下端を支持する支持部１３とを備えたことを特徴とする段付き中間巾止め金具１０」
である。
【００１２】
すなわち、この請求項１に係る段付き中間巾止め金具１０は、基本的には、第１型枠３１に対して第２型枠３２を支えるために使用されるものであって、第１型枠３１間に挟着される挟着部１２と、この挟着部１２の内方側に設けられて基礎４０の表面から内方に位置することになる金具本体１１と、この金具本体１１の内方側に設けられて、第２型枠３２の下端を支持する支持部１３とを備えたものである。そして、この段付き中間巾止め金具１０は、完成されたコンクリート基礎４０の表面に凹部４１を形成するために使用される凹部形成部材２０を、金具本体１１と挟着部１２との間に設けたものなのである。
【００１３】
この段付き中間巾止め金具１０を構成している各部材及び凹部形成部材２０は、図１に示すように組立られるものであり、図２に示すように、第１型枠３１に取り付けられた挟着部１２の内側に金具本体１１を位置させ、この金具本体１１の挟着部１２とは反対側に設けた支持部１３によって第２型枠３２の下面を支持して、生コンクリートの打設を待つのである。
【００１４】
このとき、凹部形成部材２０は、挟着部１２と金具本体１１との間に位置してその外端面が第１型枠３１の内面に当接するようになされており、打設された生コンクリートが、この凹部形成部材２０内へは入らないようになっている。
【００１５】
凹部形成部材２０は、コンクリート基礎４０が完成されたときに、このコンクリート基礎４０の表面に凹部４１を形成するものであり、この凹部４１内には、金具本体１１の端部等の金属部分が、コンクリート基礎４０の表面から内方に位置して露出することになるが、この凹部４１内にモルタルが添着されれば、ここに露出していた金具本体１１の端部はモルタル内に埋められて露出することはなく、従って錆びることもないのは言うまでもない。
【００１６】
この凹部形成部材２０は、後述する請求項３の発明のように、中空部２２を有する中空体２０ａによって形成してもよいし、同様に、後述する請求項４の発明のように、中実体２０ｂによって形成してもよいものである。また、この凹部形成部材２０は、その周囲に生コンクリートが打設され、コンクリート基礎４０が完成したときには外されるものでるから、コンクリートが固着しないような材料、例えば合成樹脂や金属などによって表面が滑らかなものとして形成したものである。
【００１７】
以上の段付き中間巾止め金具１０を構成している挟着部１２及び凹部形成部材２０を、コンクリート基礎４０完成後に外せば、図４に示すように、コンクリート基礎４０の垂直表面に凹部４１が形成される。この凹部４１からはコンクリート基礎４０内に埋め殺しされた金具本体１１の端部が露出するが、前述したように、この凹部４１内にモルタルが添着されるから、何等問題は生じない。
【００１８】
従って、この請求項１の段付き中間巾止め金具１０によれば、断面形状が略Ｌ字状となるコンクリート基礎４０を形成するにあたって、第１型枠３１に対して第２型枠３２を確実に支持することができて、露出金属部分を覆うためのモルタル添着が行える凹部４１を容易に形成することができるものとなっているのである。
【００１９】
上記課題を解決するために、請求項２に係る発明の採った手段は、上記請求項１に記載の段付き中間巾止め金具１０について、
「挟着部１２は、少なくとも金具本体１１に対して着脱自在としたこと」
である。
【００２０】
すなわち、この段付き中間巾止め金具１０を構成している金具本体１１は、完成されたコンクリート基礎４０内に埋め殺しされるものではあるが、その他の部材はコンクリート基礎４０から外されるものである。そのため、この段付き中間巾止め金具１０においては、少なくともコンクリート基礎４０内に埋め殺しされている金具本体１１に対して挟着部１２が着脱自在としてあるのである。凹部形成部材２０については、挟着部１２とともに金具本体１１から外されることになるから、この挟着部１２に一体的であってもよいものである。
【００２１】
ただし、この挟着部１２に対しては金具本体１１がしっかりと保持されている必要があるから、金具本体１１に対して挟着部１２を着脱自在とするためには、図７に示すように、金具本体１１の挟着部１２側端部にネジ部１１ａを形成しておくか、あるいは、図５に示すように、金具本体１１の挟着部１２側端部にネジ部１１ａを形成しておいて、このネジ部１１ａを、凹部形成部材２０である中実体２０ｂに形成したネジ穴２３に螺着するようにしておくのが最も簡単である。勿論、図５に示した例の場合には、挟着部１２の端部に中実体２０ｂのネジ穴２３に螺合されることになるネジ部１２ｂを形成しておく必要があるし、図７に示した例の場合には、挟着部１２側にネジ部１１ａに対応するメネジを切っておく必要はある。
【００２２】
また、挟着部１２が、少なくとも金具本体１１に対して着脱自在としてあることから、段付き中間巾止め金具１０を構成する各部材及び凹部形成部材２０を別々に形成しておいて、例えば施工現場において、これらを図１に示すように組み立てることが簡単に行えることになる。
【００２３】
従って、この請求項２の段付き中間巾止め金具１０は、上記請求項１のそれと同様な機能を発揮する他、完成されたコンクリート基礎４０からの挟着部１２や凹部形成部材２０の取り外し、段付き中間巾止め金具１０としての組立が簡単に行えるものとなっているのである。
【００２４】
上記課題を解決するために、請求項３に係る発明の採った手段は、上記請求項１または請求項２に記載の段付き中間巾止め金具１０について、
「凹部形成部材２０を、中空部２２を有する中空体２０ａとするとともに、これにスリットあるいはミシン目等の除去線２１を形成したこと」
である。
【００２５】
この請求項３の段付き中間巾止め金具１０では、これを構成している凹部形成部材２０として中空体２０ａを採用したものであり、この中空体２０ａは、図２の（ａ）及び（ｂ）に示すように、合成樹脂等によって「スカート」状に形成して、その内部に中空部２２を積極的に形成したものである。勿論、この凹部形成部材２０である中空体２０ａの小径部側端部には、図２の（ａ）に示すように、挟着部１２側のネジ部１２ｂが挿入されて当該凹部形成部材２０の位置決めをも果たすことになる穴が形成してある。
【００２６】
そして、この凹部形成部材２０である中空体２０ａには、図２の（ｂ）に示すように、中空部２２を有する中空体２０ａにスリットあるいはミシン目等の除去線２１が形成してある。この除去線２１は、当該中空体２０ａを凹部４１から強制的に剥がす際の作業を容易にするために、この除去線２１に沿って中空体２０ａを切り裂くことができるようにしたものである。
【００２７】
従って、この請求項３の段付き中間巾止め金具１０は、上記請求項１または請求項２のそれと同様な機能を発揮する他、凹部形成部材２０を安価なものとすることができるし、除去線２１によって完成されたコンクリート基礎４０からの取り外しも簡単に行えるものとなっているのである。
【００２８】
さらに、上記課題を解決するために、請求項４に係る発明の採った手段は、上記請求項１または請求項２に記載の段付き中間巾止め金具１０について、
「凹部形成部材２０を略中実体２０ｂとするとともに、本体金具１１の外側端部に着脱自在としたこと」
である。
【００２９】
この請求項４の段付き中間巾止め金具１０においては、これを構成している凹部形成部材２０が、図５に示すような中実体２０ｂとしたものであり、コンクリート基礎４０に凹部４１を形成することができることは勿論、この中実体２０ｂ自体が金具本体１１と挟着部１２との連結及び一体化を容易にしているものである。この中実体２０ｂの中心には、金具本体１１及び挟着部１２側のネジ部１１ａ及びネジ部１２ｂのそれぞれが螺着できるネジ穴２３が形成してあるが、このネジ穴２３は、金具本体１１と挟着部１２との連結が確実に行えるのであれば、単なる穴であってもよい。
【００３０】
従って、この請求項４の段付き中間巾止め金具１０は、上記請求項１または請求項２のそれと同様な機能を発揮する他、凹部形成部材２０を安価なものとすることができるし、完成されたコンクリート基礎４０から取り外す際の作業を簡単に行えるのである。
【００３１】
そして、上記課題を解決するために、請求項５に係る発明の採った手段は、上記請求項１〜請求項４のいずれかに記載の段付き中間巾止め金具１０について、
「凹部形成部材２０の外形を、コンクリート基礎の外面に向かって広がるものとしたこと」
である。
【００３２】
すなわち、この請求項５の段付き中間巾止め金具１０では、これを構成している凹部形成部材２０の外形形状を、コンクリート基礎４０の外面に向かって広がるものとしたものであり、これにより、コンクリート基礎４０に完成された凹部４１を、図４及び図６に示すように、コンクリート基礎４０の外面に向かって広がるものとするのである。
【００３３】
凹部４１がコンクリート基礎４０の外面に向かって広がるものであれば、この中にモルタルを詰めて添着させる作業を簡単に行える。何故なら、この凹部４１は、奥に較べて入り口が広くなっているからである。
【００３４】
従って、この請求項５の段付き中間巾止め金具１０は、上記請求項１〜請求項４のいずれかに係るそれと同様な機能を発揮する他、凹部４１内に対するモルタルの添着作業を簡単に行えるものとなっているのである。
【発明の効果】
【００３５】
以上、詳述した通り、本発明においては、
「断面が略Ｌ字状となる基礎４０をコンクリート打設により形成するために、第１型枠３１に対して第２型枠３２の下端を持ち上げた状態で支持すべく使用される段付き中間巾止め金具１０であって、
第１型枠３１間に挟着される挟着部１２と、この挟着部１２の内方側に設けられて基礎４０の表面から内方に位置することになる金具本体１１と、これら金具本体１１と挟着部１２との間に設けられて、基礎４０の第１型枠３１側の表面に凹部４１を形成することになる凹部形成部材２０と、金具本体１１の内方側に設けられて、第２型枠３２の下端を支持する支持部１３とを備えたこと」
にその構成上の主たる特徴があり、これにより、断面形状が略Ｌ字状となるコンクリート基礎４０を形成するにあたって、第１型枠３１に対して第２型枠３２を確実に支持することができて、露出金属部分を覆うためのモルタル添着が行える凹部４１を容易に形成することのできる段付き中間巾止め金具１０を、簡単な構成によって提供することができるのである。
【発明を実施するための最良の形態】
【００３６】
以下、本発明に係る段付き中間巾止め金具１０について、図１〜図７を参照して説明すると、図１には、凹部形成部材２０として中空体２０ａを採用した段付き中間巾止め金具１０の斜視図が示してある。この段付き中間巾止め金具１０は、金具本体１１と、金具本体１１の端部に設けられた挟着部１２と、挟着部１２に対して金具本体１１の反対側の端部に設けられた支持部１３とから構成されている。
【００３７】
図１に示した金具本体１１は、上下の端部を直角に折り曲げて補強用のリブ１４を形成したものであり、このリブ１４の挟着部１２側端部を、後述する凹部形成部材２０を止めるための規制部１５としている。これに対して、図７に示した金具本体１１は、単純な丸棒によって構成したものであり、その図示左端部は、図５に示した段付き中間巾止め金具１０を構成している凹部形成部材２０である中実体２０ｂのネジ穴２３に螺合されるネジ部１１ａとしてある。この金具本体１１の、ネジ部１１ａとは反対側には、後述する支持部１３が固着される。
【００３８】
挟着部１２は、金具本体１１を構成している板材より薄板で形成され、金具本体１１の外端側となる端部にスポット溶接で一体的に固着されている。この挟着部１２は、互いに隣接することになる二枚の第１型枠３１間に挟着されるもので、その巾寸法は、第１型枠３１の厚さに対応している。また、この挟着部１２の中央部には、図１及び図２の（ａ）に示したように、第１型枠３１の連結用穴３１ａに連通する穴１２ａが形成されている。この穴１２ａは円形でも水平方向に長い長穴であっても良い。
【００３９】
また、挟着部１２の、規制部１５とは反対側の端部には、図１に示したように、Ｌ字状の規制部としての規制片１６が溶着してある。なお、挟着部１２の規制部１５側の端部、つまり金具本体１１との間に、図３に示したように、縦方向にミシン目状の分離部１２ｃを形成して、この挟着部１２の金具本体１１からの取り外しを容易にするように実施してもよいものである。
【００４０】
この挟着部１２は、金具本体１１に対して着脱自在としてある。何故なら、後述するように、金具本体１１は、完成されたコンクリート基礎４０内に埋め殺しされるものではあるが、その他の部材はコンクリート基礎４０から外されるものである。そのために、この挟着部１２は、少なくともコンクリート基礎４０内に埋め殺しされている金具本体１１に対して着脱自在としてあるのである。後述する凹部形成部材２０については、挟着部１２とともに金具本体１１から外されることになるから、この挟着部１２に一体的であってもよいものである。
【００４１】
この挟着部１２に対しては、金具本体１１がしっかりと保持されている必要があるから、金具本体１１に対して挟着部１２を着脱自在とするためには、図５に示したように、金具本体１１の挟着部１２側端部にネジ部１１ａを形成しておいて、このネジ部１１ａを、凹部形成部材２０である中実体２０ｂに形成したネジ穴２３に螺着するようにしておくか、あるいは、図７に示したように、金具本体１１の挟着部１２側端部にネジ部１１ａを形成しておくのである。勿論、図５に示した例の場合には、挟着部１２の端部に中実体２０ｂのネジ穴２３に螺合されることになるネジ部１２ｂを形成しておき、図７に示した例の場合には、挟着部１２側にネジ部１１ａに対応するメネジを切っておくのである。
【００４２】
また、挟着部１２が、少なくとも金具本体１１に対して着脱自在としてあることから、段付き中間巾止め金具１０を構成する各部材及び凹部形成部材２０を別々に形成しておいて、例えば施工現場において、これらを図１に示したように組み立てるのである。
【００４３】
支持部１３には、図１及び図５に示したように、その基体部に所定間隔をおいた一対の立上り片１３ａ、１３ｂを形成したものであり、この支持部１３は、全体として上部が開放するコ字状をなしている。この支持部１３が有している一対の立上り片１３ａ、１３ｂの間隔は、第２型枠３２の厚さ寸法と同じにしてあり、これらの立上り片１３ａ、１３ｂの間には、図２の（ａ）に示したように、第１型枠３１が挿入されて支持されることになるのである。
【００４４】
そして、図１及び図５に示した支持部１３は、その金具本体１１側端部を金具本体１１に形成してあるリブ１４の上端に溶接することにより、金具本体１１に対して一体化してある。 また、この支持部１３の、立上り片１３ａの近傍には、図１及び図５に示したように、Ｖ字状の切り込みからなる分離部１８が形成してあり、この分離部１８によって当該支持部１３の分断が行えるようにしてある。
【００４５】
なお、この支持部１３と挟着部１２間の距離は、第１型枠３１と第２型枠３２との間隔に相当するもので、例えば、支持部１３の金具本体１１に対する溶接位置を変化させることにより変化させることができる。また、本最良形態では、支持部１３と金具本体１１を別体で構成し、溶接により一体化したが、支持部１３と金具本体１１を一体に製作しても良い。
【００４６】
凹部形成部材２０は、コンクリート基礎４０が完成されたときに、このコンクリート基礎４０の表面に凹部４１を形成するものであり、図２に示したように、中空部２２を有する中空体２０ａによって形成してもよいし、図５に示したように、中実体２０ｂによって形成してもよいものである。また、この凹部形成部材２０は、その周囲に生コンクリートが打設され、コンクリート基礎４０が完成したときには外されるものであるから、コンクリートが固着しないような材料、例えば合成樹脂や金属などによって表面が滑らかなものとして形成したものである。
【００４７】
図２に示した段付き中間巾止め金具１０では、これを構成している凹部形成部材２０として中空体２０ａを採用したものであり、この中空体２０ａは、図２の（ａ）及び（ｂ）に示したように、合成樹脂等によって「スカート」状に形成して、その内部に中空部２２を積極的に形成したものである。勿論、この凹部形成部材２０の小径部側端部には、図２の（ａ）に示すように、挟着部１２側のネジ部１２ｂが挿入されて当該凹部形成部材２０の位置決めをも果たすことになる穴が形成してある。
【００４８】
そして、この凹部形成部材２０である中空体２０ａには、図２の（ｂ）に示したように、スリットあるいはミシン目等の除去線２１が形成してある。この除去線２１は、当該中空体２０ａを凹部４１から強制的に剥がす際の作業を容易にするために、この除去線２１に沿って中空体２０ａを切り裂くことができるようにしたものである。
【００４９】
これに対して、図５に示した凹部形成部材２０は、中心にて貫通しているネジ穴２３を有した中実体２０ｂとしたものであり、コンクリート基礎４０に凹部４１を形成することができることは勿論、この中実体２０ｂ自体が金具本体１１と挟着部１２との連結及び一体化を容易にしているものである。この中実体２０ｂの中心には、金具本体１１及び挟着部１２側のネジ部１１ａ及びネジ部１２ｂのそれぞれが螺着できるネジ穴２３が形成してあるからであるが、このネジ穴２３は、金具本体１１と挟着部１２との連結が確実に行えるのであれば、単なる穴であってもよい。
【００５０】
つぎに、本発明に係る段付き中間巾止め金具１０の施工の様子について説明すると、まず、第１型枠３１の側面には、図２の（ａ）にて示したように、所定の間隔で連結用の穴３１ａが複数個形成されている。これらの穴３１ａは、互いに隣接する第１型枠３１同士を連結する際に利用する他、本発明に係る段付き中間巾止め金具１０をこれら第１型枠３１間に取り付けるのにも使用されるものである。勿論、これらの第１型枠３１及び第２型枠３２の施工作業に先立って、基礎コンクリート４０の厚さ即ち所望の段差に相当する穴３１ａを選択することは言うまでもない。
【００５１】
つぎに、隣接する第１型枠３１間に中間巾止め金具１０の挟着部１２を挟み、これに形成してある穴１２ａを、第１型枠３１側の選択した穴３ａに連通させ、ピン等を貫通させて連結する。この場合、凹部形成部材２０の内端がリブ１４側の規制部１５に当接し、この凹部形成部材２０の外端が第１型枠３１の内面に当接する。そこで、挟着部１２を挟んで隣接する二枚の第１型枠３１間をピン等により固定する。
【００５２】
次いで、支持部１３の上に第２型枠３２を載置すれば、コンクリート基礎４０を形成するための型枠が完成する。そこで、生コンクリートを打設するのである。
【００５３】
コンクリートが固化したら、第１型枠３１及び第２型枠３２を取り外す。そして、コンクリートの外側に突出した支持部１３の一対の立上り片１３ａ、１３ｂを分離部１８から切り離し、さらに、挟着部１２を分離部から切り離す。そして、挟着部１２の内側になっていた凹部形成部材２０である中空体２０ａまたは中実体２０ｂをとりはずすのである。これにより、コンクリート基礎４０の垂直面には、突出物が存在しなくて安全となっているだけでなく、凹部４１が開口するのである。
【００５４】
この凹部４１内には、金具本体１１の端部等の金属部分が露出することになるが、モルタルが添着されれば、この凹部４１にて露出していた金具本体１１の端部は露出することはなく、従って錆びることもない。
【００５５】
なお、本発明は上記実施例に限定されるものではなく、適宜変更して適用できるものであり、例えば、ピンにより金具本体１１を固定するための穴１２ａをなくすと共に、規制片１６に吊下部１９となる穴を設けて、この穴に対して第１型枠３１の上部より吊り下げることにより金具本体１１を所定位置に挟着するようにしてもよい。
【００５６】
また、規制部１５あるいは規制片１６は、図１の如く必ずしも左右両側にある必要はなく、何れか一方に、或いは両方の規制部１５をなくして規制片１６のみにしてもよく、要は金具本体１１が傾斜や捻れを生じることなく第１型枠３１に挟着されるようになっていれば良いものである。
【図面の簡単な説明】
【００５７】
【図１】本発明に係る段付き中間巾止め金具であって、凹部形成部材として中空体を採用したものの斜視図である。
【図２】同段付き中間巾止め金具を使用して第１型枠に第２型枠を支持させた状態を示すもので、（ａ）はその断面図、（ｂ）は中空体の拡大正面図である。
【図３】同段付き中間巾止め金具を使用して第１型枠に第２型枠を支持させた状態の別例を示す縦断面図である。
【図４】同段付き中間巾止め金具によって形成されたコンクリート基礎の断面図である。
【図５】本発明に係る段付き中間巾止め金具であって、凹部形成部材として中実体を採用したものの斜視図である。
【図６】同段付き中間巾止め金具によって形成されたコンクリート基礎の断面図である。
【図７】同段付き中間巾止め金具を構成している金具本体の別例を示す斜視図である。
【図８】従来の技術を示す縦断面図である。
【符号の説明】
【００５８】
１０    段付き中間巾止め金具
１１    金具本体
１１ａ  ネジ部
１２    挟着部
１２ａ  取付穴
１２ｂ  ネジ部
１３    支持部
１４    導入部
１５    規制部
１６    規制片
１８    分離部
１９    吊下部
２０    凹部形成部材
２０ａ  中空体
２０ｂ  中実体
２１    除去線
２２    中空部
２３    ネジ穴
３１    第１型枠
３２    第２型枠
４０    コンクリート基礎
４１    凹部
【図１】
2005113484.tif 000003
【図２】
2005113484.tif 000004
【図３】
2005113484.tif 000005
【図４】
2005113484.tif 000006
【図５】
2005113484.tif 000007
【図６】
2005113484.tif 000008
【図７】
2005113484.tif 000009
【図８】
2005113484.tif 000010